(57)【要約】【課題】データセンターの内部を適正温度に維持させ、エネルギー効率を向上させるデータセンターの温度管理システムを提供する。【解決手段】複数のサーバを備えるデータセンター内の温度を調整する調整空気を供給する供給ユニットと、前記供給ユニットと連結し、前記調整空気を供給し、前記データセンターの第１温度領域を形成する第１管理ユニットと、前記第１温度領域と連通し、前記第１温度領域を経由した前記調整空気が供給され、前記第１温度領域と隣接する前記データセンターの第２温度領域を形成する第２管理ユニットと、前記第２温度領域と連結し、前記調整空気を回収する回収ユニットと、を備えることを特徴とする。【選択図】図１
2012208934.tif 000002
【特許請求の範囲】
【請求項１】
複数のサーバを備えるデータセンター内の温度を調整する調整空気を供給する供給ユニットと、
前記供給ユニットと連結し、前記調整空気を供給し、前記データセンターの第１温度領域を形成する第１管理ユニットと、
前記第１温度領域と連通し、前記第１温度領域を経由した前記調整空気が供給され、前記第１温度領域と隣接する前記データセンターの第２温度領域を形成する第２管理ユニットと、
前記第２温度領域と連結し、前記調整空気を回収する回収ユニットと、
を備えることを特徴とするデータセンターの温度管理システム。
【請求項２】
前記第１管理ユニットは、前記第２温度領域と対向しない前記第１温度領域の一側を閉鎖する少なくとも１つの第１ガイド部を備え、前記調整空気を前記第２温度領域にガイドし、
前記第２管理ユニットは、前記回収ユニットと対向する前記第２温度領域の一側と前記回収ユニットとの間を連通する少なくとも１つの第２ガイド部を備え、前記第１温度領域を経由して前記複数のサーバによって加熱された前記調整空気を前記回収ユニットにガイドすることを特徴とする請求項１に記載のデータセンターの温度管理システム。
【請求項３】
前記第１ガイド部及び前記第２ガイド部は、それぞれ前記第１温度領域及び前記第２温度領域の一側をそれぞれカバーする多角形の形状のプレートを有する第１カバー体及び第２カバー体と、前記第１カバー体及び前記第２カバー体の枠をそれぞれ支持する第１保護体及び第２保護体と、
を備えることを特徴とする請求項２に記載のデータセンターの温度管理システム。
【請求項４】
前記第１保護体及び前記第２保護体は、各面に第１支持溝及び第２支持溝をそれぞれ形成する断面が四角形の複数の棒状の形状を有し、前記第１カバー体及び前記第２カバー体にそれぞれ複数設けられ、
前記第１カバー体及び前記第２カバー体の枠が、弾性材質を有する第１緩衝材及び第２緩衝材によって、前記第１支持溝及び前記第２支持溝にそれぞれ保護された状態にそれぞれ挿入されると同時に、互いに隣接する前記第１保護体及び前記第２保護体は、前記第１支持溝及び前記第２支持溝にそれぞれ挿入される第１連結体及び第２連結体によってそれぞれ連結されることを特徴とする請求項３に記載のデータセンターの温度管理システム。
【請求項５】
前記データセンターの内部には、前記複数のサーバを支持する側部が開放された複数の支持体が、互いに隣接して備えられ、
前記第１管理ユニットは、前記複数の支持体のうち互いに対向する少なくとも一対の第１支持体によって区切られた第１温度領域を形成し、
前記第２管理ユニットは、前記一対の第１支持体のうち少なくとも１つと隣接して互いに対向する少なくとも一対の第２支持体によって区切られた第２温度領域を形成することを特徴とする請求項１に記載のデータセンターの温度管理システム。
【請求項６】
前記第１管理ユニットは、前記少なくとも一対の第１支持体の間の開放された上部を閉鎖する少なくとも１つの第１ガイド部を備え、隣接する前記第２温度領域側に前記調整空気をガイドし、
前記第２管理ユニットは、前記第１支持体に支持された前記複数のサーバによって加熱され流入する前記調整空気を、前記少なくとも一対の前記第２支持体の間の開放された上部に、ガイドするように設けられた少なくとも１つの第２ガイド部を備えることを特徴とする請求項５に記載のデータセンターの温度管理システム。
【請求項７】
前記回収ユニットは、前記第２温度領域の前記調整空気を回収する回収ダクト、および前記回収ダクトと連結し前記調整空気を再冷却させる温度調整部を備え、
前記第２ガイド部は、前記第２温度領域の上部と前記回収ダクトを連通することを特徴とする請求項２または６に記載のデータセンターの温度管理システム。
【請求項８】
複数のサーバを備えるデータセンター内の温度を調整する調整空気を供給する供給ユニットと、
前記供給ユニットと連結し、前記調整空気を供給し、前記データセンターの第１温度領域を形成する第１管理ユニットと、
前記第１温度領域と連通し、前記第１温度領域に位置する前記サーバによって加熱された前記調整空気を供給し、前記第１温度領域と隣接する前記データセンターの第２温度領域を形成する第２管理ユニットと、
前記第２温度領域と連結し、前記調整空気を回収及び再冷却する回収ユニットと、
を備え、
前記第１及び第２管理ユニットは、前記調整空気が漏れることなく前記第１温度領域及び前記第２温度領域を経て前記回収ユニットに回収されるようにガイドするガイド手段を備えることを特徴とするデータセンターの温度管理システム。
【請求項９】
前記ガイド手段は、前記第２温度領域と対向しない前記第１温度領域の一側を閉鎖させる少なくとも１つの第１ガイド部と、前記回収ユニットと対向する前記第２温度領域の一側と前記回収ユニットとの間を連通する少なくとも１つの第２ガイド部とを備えることを特徴とする請求項８に記載のデータセンターの温度管理システム。
【請求項１０】
前記第１ガイド部及び前記第２ガイド部はそれぞれ前記第１温度領域及び前記第２温度領域の一側をそれぞれカバーする多角プレートの形状を有する第１カバー体及び第２カバー体と、前記第１カバー体及び第２カバー体の枠をそれぞれ支持する第１保護体及び第２保護体と、
を備えることを特徴とする請求項９に記載のデータセンターの温度管理システム。
【請求項１１】
前記第１管理ユニットは、互いに対向するように設け、前記サーバを支持するように側部が開放された少なくとも一対の第１支持体によって第１温度領域を形成させ、前記第２管理ユニットは、前記一対の第１支持体のうち少なくとも１つと隣接して互いに対向するように設け、前記サーバを支持するように側部が開放された少なくとも一対の第２支持体によって第２温度領域を形成し、
前記第１ガイド部及び前記第２ガイド部は、前記一対の第１支持体及び前記第２支持体の間の開放された上部にそれぞれ設けられることを特徴とする請求項９または１０に記載のデータセンターの温度管理システム。
【発明の詳細な説明】
【技術分野】
【０００１】
本発明はデータセンターの温度管理システムに関し、より詳しくは、互いに異なる温度で区切られた温度領域を含むデータセンターの空気の流れを管理することによって、エネルギー効率を向上させるデータセンターの温度管理システムに関する。
【背景技術】
【０００２】
一般的に、データセンターは、所定のデータが入出力される複数のサーバを管理する。複数のサーバは、ラック（ｒａｃｋ）のような所定の支持手段によって支持される。一方、データセンターは、相対的に温度の低いコールドゾーン（Ｃｏｌｄ  Ｚｏｎｅ）とコールドゾーンに比べて相対的に温度の高いホットゾーン（Ｈｏｔ  Ｚｏｎｅ）に区分して、サーバを管理する。
【０００３】
一方、サーバは熱によって極めて敏感に反応するので、コールドゾーンとホットゾーンに備えられたサーバの安定な使用のためには一定の温度制御が要求される。このようなコールドゾーンとホットゾーンの温度制御は、所望の温度に対応する空気を供給して行うことが一般的である。ところが、コールドゾーンとホットゾーンにそれぞれ互いに異なる温度の空気を提供する場合、エネルギーの無駄が発生するという問題が発生する。それだけではなく、コールドゾーンとホットゾーンとの間が全て開放されていると、供給された空気が不要に漏れてしまう問題も引き起こされる。
【先行技術文献】
【特許文献】
【０００４】
【特許文献１】韓国公開特許第２０００−００４１２９２号公報
【発明の概要】
【発明が解決しようとする課題】
【０００５】
本発明の目的は、上記のような問題に鑑みてなされたものであって、エネルギー効率を向上させるデータセンターの温度管理システムを提供することにある。
【０００６】
本発明の他の目的は、データセンターの内部を適正温度に維持させるデータセンターの温度管理ステムを提供することにある。
【課題を解決するための手段】
【０００７】
本発明の一実施形態に係るデータセンターの温度管理システムは、複数のサーバを備えるデータセンター内の温度を調整する調整空気を供給する供給ユニットと、供給ユニットと連結し調整空気を供給し、データセンターの第１温度領域を形成する第１管理ユニットと、第１温度領域と連通し、第１温度領域を経由した調整空気が供給され、第１温度領域と隣接するデータセンターの第２温度領域を形成する第２管理ユニットと、第２温度領域と連結し、調整空気を回収する回収ユニットと、を備えることを特徴とする。
【０００８】
本発明の一実施形態に係るデータセンターの温度管理システムにおいて、第１管理ユニットは、第２温度領域と対向しない第１温度領域の一側を閉鎖する少なくとも１つの第１ガイド部を備え、調整空気を第２温度領域にガイドし、第２管理ユニットは、回収ユニットと対向する第２温度領域の一側と回収ユニットとの間を連通する少なくとも１つの第２ガイド部を備え、第１温度領域を経由して複数のサーバによって加熱された調整空気を回収ユニットにガイドする。
【０００９】
本発明の一実施形態に係るデータセンターの温度管理システムにおいて、第１ガイド部及び第２ガイド部は、それぞれ第１温度領域及び第２温度領域の一側をそれぞれカバーする多角形の形状のプレートを有する第１カバー体及び第２カバー体と、第１カバー体及び第２カバー体の枠をそれぞれ支持する第１保護体及び第２保護体と、を備える。
【００１０】
本発明の一実施形態に係るデータセンターの温度管理システムにおいて、第１保護体及び第２保護体は、各面に第１支持溝及び第２支持溝をそれぞれ形成する断面が四角形の複数の棒状の形状を有し、第１カバー体及び第２カバー体にそれぞれ複数設けられ、第１カバー体及び第２カバー体の枠が、弾性材質を有する第１緩衝材及び第２緩衝材によって、第１支持溝及び第２支持溝にそれぞれ保護された状態にそれぞれ挿入されると同時に、互いに隣接する第１保護体及び第２保護体は、第１支持溝及び第２支持溝にそれぞれ挿入される第１連結体及び第２連結体によってそれぞれ連結される。
【００１１】
本発明の一実施形態に係るデータセンターの温度管理システムにおいて、データセンターの内部には、複数のサーバを支持する側部が開放された複数の支持体が、互いに隣接して備えられ、第１管理ユニットは、複数の支持体のうち互いに対向する少なくとも一対の第１支持体によって区切られた第１温度領域を形成し、第２管理ユニットは、一対の第１支持体のうち少なくとも１つと隣接して互いに対向する少なくとも一対の第２支持体によって区切られた第２温度領域を形成する。
【００１２】
本発明の一実施形態に係るデータセンターの温度管理システムにおいては、第１管理ユニットは、少なくとも一対の第１支持体の間の開放された上部を閉鎖する少なくとも１つの第１ガイド部を備え、隣接する第２温度領域側に調整空気をガイドし、第２管理ユニットは、第１支持体に支持された複数のサーバによって加熱され流入する調整空気を、少なくとも一対の第２支持体の間の開放された上部に、ガイドするように設けられた少なくとも１つの第２ガイド部を備える。
【００１３】
本発明の一実施形態に係るデータセンターの温度管理システムにおいて、回収ユニットは、第２温度領域の調整空気を回収する回収ダクト、および回収ダクトと連結し調整空気を再冷却させる温度調整部を備え、第２ガイド部は、第２温度領域の上部と回収ダクトを連通する。
【００１４】
また、本発明の一実施形態に係るデータセンターの温度管理システムにおいて、複数のサーバを備えるデータセンター内の温度を調整する調整空気を供給する供給ユニットと、供給ユニットと連結し、調整空気を供給し、データセンターの第１温度領域を形成する第１管理ユニットと、第１温度領域と連通し、第１温度領域に位置するサーバによって加熱された調整空気を供給し、第１温度領域と隣接するデータセンターの第２温度領域を形成する第２管理ユニットと、第２温度領域と連結し、調整空気を回収及び再冷却する回収ユニットと、を備え、第１管理ユニット及び第２管理ユニットは、調整空気が漏れることなく第１温度領域及び第２温度領域を経て回収ユニットに回収するようにガイドするガイド手段を備えることを特徴とする。
【００１５】
本発明の一実施形態係るデータセンターの温度管理システムにおいて、ガイド手段は、第２温度領域と対向しない第１温度領域の一側を閉鎖する少なくとも１つの第１ガイド部と、回収ユニットと対向する第２温度領域の一側と回収ユニットとの間を連通する少なくとも１つの第２ガイド部とを備える。
【００１６】
本発明の一実施形態係るデータセンターの温度管理システムにおいて、  第１ガイド部及び第２ガイド部はそれぞれ第１温度領域及び第２温度領域の一側をそれぞれカバーする多角プレートの形状を有する第１カバー体及び第２カバー体と、第１カバー体及び第２カバー体の枠をそれぞれ支持する第１保護体及び第２保護体と、を備える。
【００１７】
本発明の一実施形態係るデータセンターの温度管理システムにおいて、第１管理ユニットは、互いに対向するように設け、サーバを支持するように側部が開放された少なくとも一対の第１支持体によって第１温度領域を形成させ、第２管理ユニットは、一対の第１支持体のうち少なくとも１つと隣接して互いに対向するように設け、サーバを支持するように側部が開放された少なくとも一対の第２支持体によって第２温度領域を形成し、第１ガイド部及び第２ガイド部は、一対の第１支持体及び第２支持体の間の開放された上部にそれぞれ設けられる。
【発明の効果】
【００１８】
本発明によると、調整空気を、第１温度領域を経由させた後に第１温度領域内のサーバによって加熱し、第２温度領域にガイドして温度調整に使用することによって、調整空気の不要な使用量を低減させることができると共に、エネルギー効率の向上に寄与できるデータセンターの温度管理システムを提供することができる。
【００１９】
また、本発明によると、データセンターの内部を適正温度に一定管理することによって、サーバ管理の効率向上にも寄与できるデータセンターの温度管理システムを提供することができる。
【００２０】
また、本発明によると、加熱された調整空気を回収することによって、加熱された調整空気による不要な加熱空間の形成を最小化できるデータセンターの温度管理システムを提供することができる。
【図面の簡単な説明】
【００２１】
【図１】本発明の一実施形態に係るデータセンターの温度管理システムを示す概略構成図である。
【図２】図１に示す第１管理ユニット及び第２管理ユニットを示す概略斜視図である。
【図３】図２に示す第１ガイド部を示す概略平面図である。
【図４】図３のＩＶ−ＩＶ線に沿って切断した状態を示す概略断面図である。
【図５】図３のＶ領域を示した概略拡大図である。
【図６】図２に示した第２ガイド部を示す概略平面図である。
【図７】図６のＶＩＩ−ＶＩＩ線に沿って切断した状態を示す概略断面図である。
【発明を実施するための形態】
【００２２】
以下、本発明の好適な実施形態を、図面を参照に詳細に説明する。
【００２３】
図１は、本発明の一実施形態に係るデータセンターの温度管理システムを示す概略構成図である。図１を参照すると、本発明の一実施形態に係るデータセンターの温度管理システム１は、供給ユニット１０、第１管理ユニット２０、第２管理ユニット３０、及び回収ユニット４０を備える。温度管理システム１は、複数のサーバＳを備えるデータセンター１００の内部の温度を管理する。
【００２４】
供給ユニット１０は、データセンター１００の内部温度を調整するための調整空気Ａを供給する。このような供給ユニット１０は、例えば空冷式の冷却手段を用いて、冷却された調整空気Ａを供給する。空冷式の冷却手段の技術は公知の技術から理解できるため詳しい説明は省略する。さらに、図１に示した矢印は調整空気Ａの流れを示すものである。
【００２５】
第１管理ユニット２０は、供給ユニット１０と連結して調整空気Ａが供給され、データセンター１００の内部のうち区切られた第１温度領域Ｔ１を形成する。ここで、第１管理ユニット２０は、例えば空冷式の冷却手段を用いた供給ユニット１０から調整空気Ａが供給されることによって、第１温度領域Ｔ１は一定の温度に冷却される。
【００２６】
第２管理ユニット３０は、第１温度領域Ｔ１と連通して第１温度領域Ｔ１を経由した調整空気Ａが供給されるように、第１温度領域Ｔ１と隣接する。これにより、データセンター１００の内部に区切られた第２温度領域Ｔ２が形成される。ここで、第２管理ユニット３０の第２温度領域Ｔ２に供給される調整空気Ａは、第１温度領域Ｔ１のサーバＳから発生した熱により加熱された状態である。このような調整空気Ａの流れによって、第１温度領域Ｔ１に比べて相対的に第２温度領域Ｔ２の温度が高く管理される。
【００２７】
データセンター１００の内部には、複数のサーバＳを支持するための第１支持体２１及び第２支持体３１が互いに隣接して設けられる。ここで、第１管理ユニット２０は、第１支持体２１及び第２支持体３１のうち互いに対向する少なくとも一対の第１支持体２１によって区切られた第１温度領域Ｔ１を形成する。また、第２管理ユニット３０は、一対の第１支持体２１のうち少なくとも１つと隣接して互いに対向する少なくとも一対の第２支持体３１によって区切られた第２温度領域Ｔ２を形成する。
【００２８】
ここで、図２に示すように、第１支持体２１及び第２支持体３１は、一種の棚のような形状を有し、側部が全て開放された形状を有することで、第１温度領域Ｔ１を形成する第１支持体２１を経て調整空気Ａが第２支持体３１によって区切られた第２温度領域Ｔ２に流入する。このような第１支持体２１及び第２支持体３１は、サーバＳを支持する第１支持体２１及び第２支持体３１を説明の便宜のために区分しただけであって、互いに同一の構造及び形状を有してもよい。
【００２９】
図２に示すように、第１支持体２１及び第２支持体３１それぞれの前面にはドアＤが設けられ、作業者が出入り可能になる。
【００３０】
図１及び図２に示すように、第１管理ユニット２０及び第２管理ユニット３０は、調整空気Ａの効果的な流れのために第１ガイド部２２及び第２ガイド部３２を含む。
【００３１】
第１ガイド部２２は、互いに対向する少なくとも一対の第１支持体２１の間の開放された上部を閉鎖する。これによって、供給ユニット１０から供給され第１管理ユニット２０の第１温度領域Ｔ１を冷却した調整空気Ａが、サーバＳの熱によって加熱されながら、第２管理ユニット３０の第２温度領域Ｔ２側に移動する。すなわち、第１ガイド部２２によって、調整空気Ａの不要な漏れを遮断すると共に、調整空気Ａの流れを制御できる。
【００３２】
図３に示すように、第１ガイド部２２は、第１温度領域Ｔ１の一側、すなわち、上部をカバーする第１カバー体２３と、第１カバー体２３の枠を支持する第１保護体２４とを備える。
【００３３】
第１カバー体２３は多角形の形状を有するプレートである。本実施形態では矩形のプレートを例示する。さらに、第１カバー体２３は、メンテナンスの便宜のために第１温度領域Ｔ１の内部から外部、または、外部から内部を肉眼で確認できるように透明な例えばアクリル材で形成されてもよい。
【００３４】
第１保護体２４は、断面が四角形の複数の棒状の形状を有する。また、第１保護体２４は、プレートの多角形の形状を有する第１カバー体２３の枠に複数設けられる。ここで、図４に示すように、第１保護体２４の各面、すなわち、４面には、引入された第１支持溝２５が長手方向にそれぞれ形成される。ここで、第１保護体２４の４面に形成された４個の第１支持溝２５のいずれか１つに、第１カバー体２３の一側枠が、第１緩衝体２６によって保護された状態にて挿入され、支持される。第１緩衝体２６は、一種のゴムパッドのような弾性材質から形成され、第１支持溝２５内で第１カバー体２３の遊隙を補償する。
【００３５】
一方、図５に示すように、複数の第１保護体２４は、第１連結体２７によって相互連結される。本実施形態では、四角プレートの形状を有する第１カバー体２３の各辺の長さが揃うように、４個の第１保護体２４が設けられるものとして例示する。これによって、第１連結体２７は「Ｌ」字の形状を有し、４個の第１保護体２４の第１支持溝２５に挿入されることで、互いに隣接する第１保護体２４を相互連結する。ここで、第１連結体２７は、第１保護体２４に形成された４個の第１支持溝２５のうち、第１カバー体２３を支持しない残り３つの第１支持溝２５に全て挿入されて互いに隣接する第１連結体２７を相互連結／固定させてもよい。第１連結体２７は、互いに隣接する第１保護体２４を連結させた後ボルトＢによって固定されてもよい。
【００３６】
一方、第１保護体２４が第１カバー体２３のいずれか１辺を複数保護する場合、第１連結体２７が「−」字の形状を有し、並んで設けられる第１保護体２４を相互連結することができる。
【００３７】
また、第２ガイド部３２は、第１温度領域Ｔ１を経て加熱された状態となって流入した調整空気Ａを、少なくとも一対の第２支持体３１の間の開放された上部と、後述する回収ユニット４０と連通させるようにして、ガイドする。これによって、第２ガイド部３２は、加熱された調整空気Ａが第１温度領域Ｔ１に再流入することを防止する。このような第２ガイド部３２も、図６に示すように第１ガイド部２２と同様に、第２カバー体３３と第２保護体３４とを備える。さらに、第２保護体３４も４個の第２支持溝３５を備えることによって、第２緩衝体３６を挟んで第２カバー体３３を支持する。第２保護体３４も複数備えられ、第２連結体（図示せず）によって相互連結される。ここで、第２連結体（図示せず）の構成は第１連結体（図示せず）と同じ構成を有するため図示を省略する。
【００３８】
図１に示すように、回収ユニット４０は、第２温度領域Ｔ２と連結し、調整空気Ａを回収して再冷却することで循環させる。具体的には、回収ユニット４０は、第２温度領域Ｔ２と連通して調整空気Ａを回収する回収ダクト４１と、回収ダクト４１と連結して調整空気Ａを再冷却させる温度調整部４２とを備える。温度調整部４２は、供給ユニット１０と連結し、再冷却された調整空気Ａを再供給する。
【００３９】
一方、回収ダクト４１は、第２ガイド部３２によって第２管理ユニット３０の第２温度領域Ｔ２と連通する。ここで、図１及び図２に示すように、第２ガイド部３２は、一対の第２支持体３１の間の上部と回収ダクト４１間に傾斜するように設けられることで、調整空気Ａの漏れを防ぐ。
【００４０】
上記のような構成を有する本発明の実施形態に係るデータセンターの温度管理システム１の温度管理動作について図１を参照して説明する。
【００４１】
まず、図１に示すように、第１管理ユニット２０によって区切られた第１温度領域Ｔ１に、供給ユニット１０から冷却された調整空気Ａが流入することによって、第１温度領域Ｔ１が一定の温度に冷却される。調整空気Ａは、第１温度領域Ｔ１を形成する第１支持体２１によって支持された複数のサーバＳを経て、隣接する第２管理ユニット３０によって区切られた第２温度領域Ｔ２に移動する。ここで、調整空気Ａは、第１ガイド部２２によって漏れることなく、サーバＳから発生した熱によって加熱され、第２温度領域Ｔ２に移動する。これによって、第２温度領域Ｔ２は、加熱された調整空気Ａによって、第１温度領域Ｔ１よりも相対的に高い温度となる。また、その温度は一定に維持される。
【００４２】
第２温度領域Ｔ２を経由した調整空気Ａは、第２ガイド部３２によってガイドされ、回収ユニット４０の回収ダクト４１に移動する。回収ダクト４１で回収された調整空気Ａは、温度調整部４２に流入して再冷却された後、供給ユニット１０により提供され再び第１温度領域Ｔ１を冷却するために供給される。このように、調整空気Ａは循環することになる。
【００４３】
上述したように、本発明を、限定された実施形態と図面によって説明したが、本発明は、上記の実施形態に限定されることなく、本発明が属する通常の知識を有する者であれば、このような実施形態から多様な修正及び変形が可能である。
【００４４】
したがって、本発明の範囲は、開示された実施形態に限定されるものではなく、特許請求の範囲だけではなく特許請求の範囲と均等なものなどによって定められるものである。
【符号の説明】
【００４５】
１      データセンターの温度管理システム
１０      供給ユニット
２０      第１管理ユニット
２１      第１支持体
２２      第１ガイド部
３０      第２管理ユニット
３１      第２支持体
３２      第２ガイド部
４０      回収ユニット
１００      データセンター
【図１】
2012208934.tif 000003
【図２】
2012208934.tif 000004
【図３】
2012208934.tif 000005
【図４】
2012208934.tif 000006
【図５】
2012208934.tif 000007
【図６】
2012208934.tif 000008
【図７】
2012208934.tif 000009